(57)【要約】      （修正有）【課題】掃除機を充電と同時に安定的に据え置くことができる掃除機据置台を提供する。【解決手段】掃除機のバッテリーを充電するための充電端子が備えられる充電台本体と連結された柱状の支持台と、この支持台の下端で連結されるベース４１０を含み、ベースは、支持台の少なくとも一部分を囲む内部ベース４３０、内部ベースの上側で内部ベースと結合し、支持台の外周面を支持する上部カバー４１０、及び内部ベースの下側で内部ベースと結合し、支持台の内周面を支持する下部カバー４２０を含む。【選択図】図１３
2020151508.tif 000002
【特許請求の範囲】
【請求項１】
掃除機据置台であって、
掃除機のバッテリーを充電するための充電端子が備えられる充電台本体と、
前記充電台本体と連結される支持台と、
前記支持台の少なくとも一部分を囲む内部ベースが備えられ、底面に支持されて前記支持台と連結されたベースと、を備えてなり、
前記内部ベースは、前記支持台と結合する本体部と、前記本体部の前方部に結合される補助ベースとを備え、
掃除機据置台の重心が前記ベース側に位置する、掃除機据置台。
【請求項２】
前記ベースの重心が前記補助ベース側に位置する、請求項１に記載の掃除機据置台。
【請求項３】
前記補助ベースは、前記本体部より密度が大きい材質で形成される、請求項２に記載の掃除機据置台。
【請求項４】
前記補助ベースは、金属材質で形成され、
前記支持台と前記本体部は、プラスチック材質で形成される、請求項３に記載の掃除機据置台。
【請求項５】
前記ベースの重心は、前記ベースの前後の長さを二等分する線の前方に位置する、請求項１に記載の掃除機据置台。
【請求項６】
前記内部ベースは、前記本体部から上側に延長されて前記支持台の下端部の少なくとも一部分を囲むネック部を備えてなる、請求項１に記載の掃除機据置台。
【請求項７】
前記ネック部の内周面は、前記支持台の外周面と少なくとも一部分において面接触することを特徴とする、請求項６に記載の掃除機据置台。
【請求項８】
前記支持台には、前記ネック部と結合するための締結ユニットが備えられる、請求項６に記載の掃除機据置台。
【請求項９】
前記締結ユニットは、突起を備えてなり、
前記突起には、前記支持台の内側に選択的に出入りできるようにする弾性部材が連結され、
前記ネック部には、前記突起が挿入されるための結合部が備えられる、請求項８に記載の掃除機据置台。
【請求項１０】
前記内部ベースの上側で前記内部ベースと結合され、前記支持台の外周面を支持する上部カバーと、
前記内部ベースの下側で前記内部ベースと結合され、前記支持台の内周面を支持する下部カバーとを更に備えてなる、請求項１に記載の掃除機据置台。
【請求項１１】
前記上部カバーと前記下部カバーは、プラスチックで形成される、請求項１０に記載の掃除機据置台。
【請求項１２】
前記内部ベースには、結合孔が形成され、
前記上部カバーには、前記結合孔に挿入される上部結合部材が備えられ、
前記下部カバーには、前記結合孔に挿入される下部結合部材が形成される、請求項１０に記載の掃除機据置台。
【請求項１３】
前記本体部には、前記補助ベースに挿入される結合突起が備えられる、請求項１２に記載の掃除機据置台。
【請求項１４】
前記結合突起には、前記結合孔が備えられる、請求項１３に記載の掃除機据置台。
【請求項１５】
前記補助ベースに前記結合孔が備えられる、請求項１２に記載の掃除機据置台。
【発明の詳細な説明】
【技術分野】
【０００１】
本明細書は、掃除機据置台に関する。
【背景技術】
【０００２】
掃除機は、掃除対象領域の塵埃や異物を吸い込んだり拭いて掃除を行う機器である。
【０００３】
このような掃除機は、使用者が直接掃除機を移動させながら掃除を行うための手動掃除機と、自律走行しながら掃除を行う自動掃除機に区分され得る。手動掃除機は、掃除機の形態により、キャニスタタイプ掃除機、アップライトタイプ掃除機、ハンディ型掃除機、スティック型掃除機などに区分され得る。
【０００４】
上述した掃除機は、充電式バッテリーを内蔵するように構成され、充電式バッテリーは、随時充電されて初めて掃除機の動作のための電源を供給することができる。したがって、掃除機は充電式バッテリーを充電すると共に掃除機を据え置くことができる据置台を必要とする。
【０００５】
先行文献である大韓民国登録特許公報第１０-２０１２-０１０３９５６号には真空掃除機据置台に対する内容が開示されている。
【０００６】
先行文献の真空掃除機据置台は、真空掃除機を充電すると共に据え置くように、真空掃除機のヘッドを据え置くための受け台および真空掃除機を充電するための充電ピンが備わった支持台を含む。
【０００７】
一方、先行文献の真空掃除機据置台は、下中心の真空掃除機を据え置くためのものであって、真空掃除機の下側に支持片が挿入されることによって真空掃除機を支持する。但し、上中心の掃除機の場合、充電端子が上側に備えられなければならないので、先行文献の掃除機据置台には据え置くことが不可能であるという問題がある。
【発明の概要】
【発明が解決しようとする課題】
【０００８】
本発明の目的は、上中心の掃除機を充電と同時に安定的に据え置くことができる掃除機据置台を提供することにある。
【課題を解決するための手段】
【０００９】
一側面に係る掃除機据置台は、掃除機のバッテリーを充電するための充電端子が備えられる充電台本体；前記充電台本体と連結される支持台；および床面に支持され、前記支持台と連結されるベースを含む。
【００１０】
前記ベースは、前記支持台の少なくとも一部分を囲む内部ベース；前記内部ベースの上側で前記内部ベースと結合し、前記支持台の外周面を支持する上部カバー；および前記内部ベースの下側で前記内部ベースと結合し、前記支持台の内周面を支持する下部カバーを含む。
【００１１】
前記上部カバーは、上側に延びて前記支持台の少なくとも一部を囲む第１ネック部を含むことができる。
【００１２】
前記内部ベースは、前記第１ネック部の内側に挿入されて前記支持台の少なくとも一部
を囲む第２ネック部を含むことができる。
【００１３】
前記第２ネック部の内周面は、前記支持台の外周面と少なくとも一部分で面接触することを特徴とする。
【００１４】
前記支持台には、前記第２ネック部と結合するための締結ユニットが備えられ得る。
【００１５】
前記締結ユニットは、突起を含み、前記突起には、前記支持台の内側に選択的に 出し
入れできるようにする弾性部材が連結され、前記第２ネック部には、前記突起が挿入されるための結合部が備えられ得る。
【００１６】
前記下部カバーは、前記支持台の下段部に挿入されて前記支持台の内周面と少なくとも一部分が接触する第３ネック部を含むことができる。
【００１７】
前記下部カバーの底面で前記第３ネック部の鉛直下方と重なる部分は、上側に陥没して形成され得る。
【００１８】
前記下部カバーには、前記第３ネック部を囲むように形成されて前記内部ベースの底面を支持する支持リブが備えられ得る。
【００１９】
前記内部ベースには、結合孔が形成され、前記上部カバーには、前記結合孔に挿入される上部結合部材が備えられ、前記下部カバーには、前記結合孔に挿入される下部結合部材が形成され得る。
【００２０】
前記下部結合部材には、前記上部結合部材が挿入される挿入溝が形成され、前記上部結合部材の外周面は、前記挿入溝の内周面と少なくとも一部分で接触することができる。
【００２１】
前記内部ベースは、前記支持台と結合する本体部；および前記本体部の前方部に結合される補助ベースを含むことができる。
【００２２】
前記内部ベースの重心が前記補助ベース側に位置するように前記補助ベースは、金属材料で形成され、前記本体部は、プラスチック材料で形成され得る。
【００２３】
前記本体部には、前記補助ベースに挿入される結合突起が備えられ得る。
【００２４】
前記結合突起には、前記結合孔が備えられ得る。または、前記補助ベースに前記結合孔が備えられ得る。
【００２５】
前記下部カバーの底面には、床面と所定の摩擦力を維持するための摩擦部が備えられ得る。前記摩擦部は、ゴムガスケット（ｇａｓｋｅｔ）またはスパイク（ｓｐｉｋｅ）を含むことができる。
【００２６】
前記上部カバーの底面には、下方に延びて前記内部ベースの上面と接する接触リブが備えられ得る。
【００２７】
前記上部カバーには、前記下部カバーと結合するための締結突起が備えられ、前記下部カバーには、前記締結突起が挿入される締結孔が備えられ得る。
【００２８】
前記充電台本体には、バッテリーを収容するためのバッテリー収容部が備えられ、前記バッテリー収容部には、追加の充電端子が備えられ得る。
【発明の効果】
【００２９】
本発明の掃除機据置台のベースは、支持台の内部および外部で複数結合することによって、ベースと支持台との間の結合力が向上するため、支持台と充電台を安定的に支持することができる。
【００３０】
また、本発明の掃除機据置台は、ベースに支持台の複数の支持構造を備えることによって、支持台を安定的に支持することができ、ベースのネック部を支持台と面接触させることによって支持台が損傷することを最小化することができる。
【００３１】
また、補助ベースを利用して、掃除機据置台の重心を床面に近く形成することによって、掃除機据置台の安定性を向上させることができる。
【図面の簡単な説明】
【００３２】
【図１】本発明の一実施例に係る掃除機据置台の斜視図である。
【図２】図１の掃除機据置台の正面図である。
【図３】図１の掃除機据置台の背面図である。
【図４】掃除機据置台に掃除機が据え置かれた様子を示す図である。
【図５】（ａ）は、掃除機が支持部に結合される様子を示す図である。（ｂ）は、ロッキング部が掃除機に結合される様子を示す図である。
【図６】掃除機据置台から余分のバッテリーが分離された様子を示す図である。
【図７】充電台からノズルが分離された様子を示す図である。
【図８】充電台が支持台から分離された様子を示す図である。
【図９】掃除機が据え置かれた充電台が壁面に装着された様子を示す図である。
【図１０】充電台本体が床面によって支持される様子を示す図である。
【図１１】本発明の他の実施例に係る掃除機据置台の斜視図である。
【図１２】図１１のベースの低面図である。
【図１３】図１１のベースの分解斜視図である。
【図１４】図１２上部カバーの低面図である。
【図１５】内部ベースの分解断面図である。
【図１６】内部ベースの断面図である。
【発明を実施するための形態】
【００３３】
以下、本発明の一部の実施例を例示的な図面を通じて詳細に説明する。各図面の構成要素に参照符号を付けることにおいて、同一の構成要素に沿っては、たとえ他の図面上に示されてもできるだけ同じ符号を付けたことに留意しなければならない。また、本発明の実施例を説明することにおいて、関連した公知の構成または機能に沿っての具体的な説明が本発明の実施例に対する理解を妨害すると判断される場合にはその詳細な説明は省略する。
【００３４】
また、本発明の構成要素を説明することにおいて、第１、第２、Ａ、Ｂ、（ａ）、（ｂ）等の用語を使用し得る。このような用語は、単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００３５】
図１は、本発明の一実施例に係る掃除機据置台の斜視図であり、図２は、図１の掃除機据置台の正面図であり、図３は、図１の掃除機据置台の背面図であり、図４は、掃除機据
置台に掃除機が据え置かれた様子を示す図である。
【００３６】
図１ないし図４を参照すると、本発明の一側面に係る掃除機据置台１０は、掃除機３００を充電するための充電台１００を含む。前記充電台１００は、前記掃除機３００を支持すると共に前記掃除機３００に備えられたバッテリーを充電することができる。
【００３７】
前記掃除機３００は、吸込モーターが備えられた掃除機本体３１０、バッテリーが収容されるバッテリーハウジング３２０、延長管３３０および吸込ノズル３４０を含むことができる。前記掃除機本体３１０は、塵埃を分離するための塵埃分離部３１２と、前記塵埃分離部３１２から分離された塵埃が集塵される集塵筒３１４を含むことができる。前記掃除機本体３１０で発生した吸込力によって外部の空気は、前記吸込ノズル３４０および前記延長管３３０を通じて流入されて前記掃除機本体３１０に備えられた集塵筒３１４に移動することができる。以下、前記掃除機３００に関する具体的な説明は省略する。
【００３８】
前記充電台１００は、充電台本体１１０を含む。
【００３９】
前記充電台本体１１０には、充電端子１１３が備えられる。前記充電端子１１３は、前記掃除機３００の端子と接触して前記掃除機３００に備えられたバッテリーを充電することができる。
【００４０】
前記充電台本体１１０には、余分のバッテリー３０２が収容され得る。示されなかったが、前記充電台本体１１０には、前記余分のバッテリー３０２を充電するための充電端子がさらに備えられ得る。
【００４１】
前記充電台本体１１０には、余分のノズル３０３、３０４が結合され得る。前記ノズル３０３、３０４は、掃除機３００などに脱着可能であり得る。一般的に掃除機は、交換可能な吸込ノズルを用途により複数備えることができる。したがって、使用しない吸込ノズルは保管が不便な短所があるが、このように前記吸込ノズル３０３、３０４を前記充電台１００に結合された状態で保管するようになると、紛失の危険が減少し、使用者はこれを容易に使用することができる。前記余分のノズル３０３、３０４をアクセサリーと称することができる。
【００４２】
前記充電台本体１１０の背面１１１には、前記充電台１００を壁面などに固定するための固定部１１５ａ、１１５ｂが備えられ得る。これに伴い、前記充電台１１０は壁面に固定され得る。一例として、前記固定部１１５ａ、１１５ｂは、孔または溝形状に形成され得る。これに伴い、前記固定部１１５ａ、１１５ｂの壁面に設けられた釘などが挿入されることによって、前記充電台本体１１０が壁面に固定され得る。
【００４３】
前記充電台本体１１０には、前記掃除機本体３１０を支持するための支持部１１２が備えられ得る。前記支持部１１２は、前方に突出して形成され得る。前記支持部１１２は、前記掃除機本体３１０を下方で支持することができる。
【００４４】
前記充電台１００は、前記充電台本体１１０に備えられるロッキング部１２０をさらに含むことができる。前記ロッキング部１２０は、前記掃除機３００と結合して前記掃除機３００を安定的に固定することができる。
【００４５】
具体的に、前記ロッキング部１２０は、前記バッテリーハウジング３２０と結合して前記掃除機３００を支持することができる。前記ロッキング部１２０の内周面は、前記バッテリーハウジング３２０の外周面を囲むように前記バッテリーハウジング３２０の外周面と対応する形状に形成され得る。
【００４６】
使用者は、前記ロッキング部１２０を前後方に選択的に回転させて前記バッテリーハウジング３２０と結合させることができる。前記ロッキング部１２０には、使用者が把持することが容易となるように摩擦力が提供される滑り防止部１２２が備えられ得る。前記滑り防止部１２２は、前記ロッキング部１２０の外周面から突出した複数の突起を含むことができる。
【００４７】
前記掃除機据置台１０は、前記充電台１００を支持するためのスタンド２００をさらに含むことができる。
【００４８】
前記スタンド２００は、床面に支持されるベース２１０および前記ベース２１０に備えられる支持台２２０を含むことができる。前記支持台２２０は、前記充電台１００から分離可能に結合され得る。
【００４９】
前記支持台２２０は、前記ベース２１０から鉛直方向に延びることができる。 前記支
持台２２０には、前記充電台１００に備えられた電線１１４が結合され得る。前記電線１１４は、前記充電台本体１１０の背面１１１から延びて外部電源と連結され得る。
【００５０】
前記ベース２１０は，前記掃除機３００の吸込ノズル３４０が据え置かれる傾斜面２１３および前記掃除機３００の吸込ノズル３４０の離脱を防止するためのストッパー２１５とを含むことができる。
【００５１】
前記ストッパー２１５は、前記傾斜面２１３の端部から突出して形成され得る。前記ストッパー２１５は、前記吸込ノズル３４が前記ベース２１０に安定的に安着した状態を維持できるように支持する役割をする。
【００５２】
以下では、前記据置台１０に前記掃除機３００が結合される方法について説明する。
【００５３】
図５は、充電台に掃除機が結合される様子を示す図である。具体的に、図５の（ａ）は、掃除機が支持部に結合される様子を示し、図５の（ｂ）は、ロッキング部が掃除機に結合される様子を示す。
【００５４】
図５を参照すると、前記充電台本体１１０には、前記掃除機本体３１０の動きをガイドするためのガイド部１１６が備えられ得る。
【００５５】
前記ガイド部１１６は、前記支持部１１２の内側に備えられ得る。これに従い、 前記
掃除機本体３１０は。前記支持部１１２に支持された状態で前記ガイド部１１６に沿って前後方に移動することができる。示されたように、前記掃除機本体３１０は、前記ガイド部１１６に沿って移動して前記充電端子１１３と接触することができる。
【００５６】
前記ロッキング部１２０は、前記充電台本体１１０に所定の角度範囲内で回転可能に連結され得る。図５の（ａ）は、前記ロッキング部１２０が後方（図５の（ａ）で時計方向）に最大限回転した状態を示す。
【００５７】
前記充電台本体１１０には、 前記ロッキング部１２０に弾性力を加えるための弾性部
材（図示せず）が備えられ得る。前記ロッキング部１２０が後方に回転した状態では、前記弾性部材（図示せず）は、前記ロッキング部１２０が後方に回転した状態を維持するように後方に弾性力を加えることができる。
【００５８】
前記ロッキング部１２０には、押え部１２３が備えられ得る。前記押え部１２３は、前
記ロッキング部１２０の内側に備えられ得る。前記押え部１２３は、前記掃除機本体３１０が前記ガイド部１１６に沿って移動する過程で前記バッテリーハウジング３２０により加圧され得る。
【００５９】
前記バッテリーハウジング３２０が前記押え部１２３を加圧すると、前記ロッキング部１２０が作動することがある。
【００６０】
具体的に、前記ロッキング部１２０が作動すると、前記ロッキング部１２０は、前方（図５の（ｂ）で反時計方向）に回転して前記バッテリーハウジング３２０の外周面と結合することができる。これに伴い、前記ロッキング部１２０は、前記バッテリーハウジング３２０の少なくとも一部をカバーすることができる。
【００６１】
前記ロッキング部１２０が前方に回転すると、前記弾性部材（図示せず）は、前記ロッキング部１２０が前方に回転した状態を維持するように弾性力を提供することができる。これに伴い、前記ロッキング部１２０は、前記バッテリーハウジング３２０を前記充電台本体１１０に固定する役割をすることができる。
【００６２】
図６は、掃除機据置台から余分のバッテリーが分離された様子を示す図である。
【００６３】
図６を参照すると、前記充電台本体１１０には、前記余分のバッテリー３０２を収容するためのバッテリー収容部１１７ａが形成され得る。
【００６４】
前記バッテリー収容空間１１７ａは、前記充電台本体１１０の一面から下方に陥没して形成され得る。また、前記バッテリー収容空間１１７ａは、前記支持部１１２および前記ガイド部１１６の内側に備えられ得る。
【００６５】
示されなかったが、前記バッテリー収容空間１１７ａの内側には、前記余分のバッテリー３０２を充電するための充電端子が備えられ得る。
【００６６】
前記充電台本体１１０には、使用者が前記バッテリー収容部１１７ａに収容された余分のバッテリーを把持することが容易となるようにするための溝部１１７ｂ、１１７ｃが形成され得る。
【００６７】
前記溝部１１７ｂ、１１７ｃは、前記バッテリー収容部１１７ａの前方に備えられる第１溝部１１７ｂと、前記バッテリー収容部１１７ａの後方に備えられる第２溝部１１７ｃとを含むことができる。
【００６８】
図７は、充電台からノズルが分離された様子を示す図である。
【００６９】
図７を参照すると、前記充電台本体１１０には、前記余分のノズル３０３、３０４が選択的に結合される連結部１１８ａ、１１８ｂが備えられる。前記連結部１１８ａ、１１８ｂは、前記充電台本体１１０の一側から延びることができる。
【００７０】
使用者は、必要に応じてそれぞれのノズル３０３、３０４を前記連結部１１８ａ、１１８ｂに脱着することができる。これに伴い、前記余分のノズル３０３、３０４の保管および使用が容易になるので使用者の便宜性が向上し得る。
【００７１】
図８は、充電台が支持台から分離された様子を示す図であり、図９は、掃除機が据え置かれた充電台が壁面に装着された様子を示す図である。
【００７２】
図８および図９を参照すると、前記充電台本体１１０には、前記支持台２２０が結合される結合部１１９が形成され得る。前記支持台２２０は、前記結合部１１９に分離可能に結合され得る。これに伴い、使用者は前記充電台本体１１０と前記支持台２２０を容易に分離することができる。
【００７３】
必要に応じて、使用者は、前記固定部１１５ａ、１１５ｂを利用して前記支持台２２０が分離された充電台１００を壁面２に固定することができる。
【００７４】
図１０は、充電台本体が床面によって支持される様子を示す図である。
【００７５】
図１０を参照すると、前記充電台本体１１０の背面１１１は床面によって支持され得る。これのために前記充電台本体１１０の背面１１１は平らな形状に形成され得る。このように、前記充電台本体１１０は、使用状況によって多様な方法で据え置かれ得るので、使用者の便宜性が増大することができる。
【００７６】
以下では、本発明の他の実施例に係る掃除機据置台について詳細に説明する。
【００７７】
図１１は、本発明の他の実施例に係る掃除機据置台の斜視図である。
【００７８】
図１１を参照すると、本発明の他の実施例に係る掃除機据置台２０は、掃除機を充電するための充電台本体１１０と、前記充電台本体１１０と連結されてこれを支持するための支持台２２０および床面に支持されて前記支持台２２０の下部に結合されるベース４００を含む。
【００７９】
前記ベース４００には、前記支持台２２０が挿入される第１ネック部４１２が備えられ得る。前記第１ネック部４１２は、前記支持台２２０を囲むように形成され得る。具体的には、前記第１ネック部４１２の上端部が内側に緩曲して前記支持台２２０の下端部の外周面を囲むように形成され得る。
【００８０】
本実施例の掃除機据置台２０は、先の実施例の掃除機据置台１０と比較すると、ベース４００の構成において差があり、残りの他の構成は実質的に同一である。したがって、以下では、前記ベース４００について重点的に説明する。
【００８１】
図１２は、図１１のベースの底面図であり、図１３は、図１１のベースの分解斜視図であり、図１４は、図１２の上部カバーの底面図である。
【００８２】
図１２ないし図１４を参照すると、前記ベース４００は、上部カバー４１０と、下部カバー４２０および内部ベース４３０とを含む。前記下部カバー４２０は、前記上部カバー４１０の下側に備えられ、前記内部ベース４３０は、前記上部カバー４１０と前記下部カバー４２０との間に備えられる。
【００８３】
前記上部カバー４１０は、上面部４１１と側面部４１３を含むことができる。前記上面部４１１は、前記ベース４００の上面を形成し、前記側面部４１３は、前記上面部４１１の端部から下方に延びて形成され得る。
【００８４】
前記上面部４１１は、前記支持台２２０側から前方に行くほど下方に傾斜した形状に形成され得る。前記上面部４１１には、前記充電台本体１１０に支持された掃除機３００の吸込ノズル３４０が接触することができる。
【００８５】
前記上部カバー４１０の上面部４１１には、前記第１ネック部４１２が備えられる。前
記第１ネック部４１２は、前記上面部４１１から上側に突出して形成され得る。前記第１ネック部４１２の上端部は、前記支持台２２０の外周面を囲むように形成され得る。
【００８６】
前記上部カバー４１０の下側には、前記内部ベース４３０が配置される。前記上部カバー４１０の下側には、前記内部ベース４３０と接する接触リブ４１７が備えられ得る。前記接触リブ４１７は、前記内部ベース４３０の上面部と接することによって、前記上部カバー４１０と前記内部ベース４３０との間の距離を一定に維持させる機能をする。
【００８７】
前記下部カバー４２０の底面部４２１は、低面に支持され、上側には前記上部カバー４１０と結合される。
【００８８】
前記下部カバー４２０の底面部４２１には、床面との所定の摩擦力を維持するための摩擦部４２２備えられ得る。前記摩擦部４２２は、ゴムガスケット（ｇａｓｋｅｔ）またはスパイク（ｓｐｉｋｅ）などを含むことができる。床面が木材、大理石またはタイルのように滑らかな材質である場合、前記摩擦部４２２に前記ゴムガスケットを使用することができる。また、前記掃除機据置台２０がカーペットの上で使用される場合には、前記摩擦部４２２に前記スパイクを使用することができる。
【００８９】
前記内部ベース４３０は、本体部４３１を含む。前記本体部４３１は、前記上部カバー４１０と前記下部カバー４２０との間に介在され、前記上部カバー４１および前記下部カバー４２０と結合することができる。
【００９０】
前記本体部４３１は、アルミニウム（ａｌｕｍｉｎｕｍ）材質からなることがあり、ダイカスト（ｄｉｅ  ｃａｓｔｉｎｇ）方式により製造することができる。したがって、前記本体部４３１は、同一形状に複数製造することができる。
【００９１】
前記内部ベース４３０は、前記本体部４３１に備えられ、前記支持台２２０と結合する第２ネック部４３２を含む。前記第２ネック部４３２は、前記本体部４３１から上側に延びて形成され、前記支持台２２０の下端部の少なくとも一部分を囲むことができる。
【００９２】
一方、前記第２ネック部４３２は、前記支持台２２０と面接触することができる。これに伴い、前記第２ネック部４３２から前記支持台２２０に伝達される衝撃量が分散されるので、前記支持台２２０が前記第２ネック部４３２との摩擦によって損傷することを最小化することができる。
【００９３】
前記第２ネック部４３２の長さが増加するほど前記支持台２２０の外周面との接触面積が増加するので、前記第２ネック部４３２の長さが一定の範囲内で増加するほど前記支持台２２０の安定性が向上し得る。したがって、前記第２ネック部４３２は、前記支持台２２０の安定的な支持のための最小の長さ以上に制作され得る。
【００９４】
また、前記第２ネック部４３２には、前記支持台２２０と結合するための結合部４３３が形成され得る。前記結合部４３３は孔を含むことができる。
【００９５】
前記内部ベース４３０は、前記本体部４３１に結合される補助ベース４３５をさらに含むことができる。前記補助ベース４３５は、前記本体部４３１の前方に結合され得る。
【００９６】
前記補助ベース４３５は、掃除機据置台２０の他の構成要素に比べて密度が大きい材質からなることがあり、前記内部ベース４３０の重心は、前記補助ベース４３５側に形成され得る。一例として、前記補助ベース４３５は、金属材質で形成され得、前記支持台、前記本体部、充電台本体、上部カバーおよび下部カバーは、プラスチック材料で形成され得
る。
【００９７】
さらに、前記補助ベース４３５により前記ベース４００の重心が前記ベース４００の前後の長さを二等分する線の前方に位置することができる。したがって、掃除機据置台２０の上側に結合される前記掃除機３００を安定的に支持することができる。前記掃除機３００は、図４に示されたように、前記掃除機据置台２０の上部に結合されるので、掃除機据置台２０（余分のバッテリーを含むことができる）と、前記掃除機３００の結合体の重心が上側前方に傾いて安定性が低下することがあるが、前記補助ベース４３５により掃除機据置台２０と、前記掃除機３００の結合体の重心が床面と隣接するように位置することがあるので、掃除機据置台２０と、前記掃除機３００の結合体の安定性が向上し得る。
【００９８】
前記本体部４３１には、前記補助ベース４３５に挿入される結合突起４３７（図１５参照）が備えられ得る。前記結合突起４３７により前記本体部４３１は、前記補助ベース４３５と結合することができる。示されたものとは異なり、前記本体部４３１と前記補助ベース４３５は、一体に形成されるように製作され得る。
【００９９】
前記補助ベース４３０には、前記上部カバー４１０と前記下部カバー４２０と結合するための複数の結合孔４３４、４３６が形成され得る。前記複数の結合孔４３４、４３６は、前記本体部４３１または前記補助ベース４３５に形成され得る。
【０１００】
前記複数の結合孔４３４、４３６は、前記本体部４３１に形成される第１結合孔４３４と前記補助ベース４３５に形成される第２結合孔４３６とを含むことができる。前記第１結合孔４３４と前記第２結合孔４３６は、示されたように、それぞれ複数形成され得る。説明の便宜上、本明細書においては、前記第１結合孔４３４と前記第２結合孔４３６がそれぞれ一つである場合に限定して説明する。
【０１０１】
前記下部カバー４２０は、前記支持台２２０と結合するための第３ネック部４２７をさらに含むことができる。前記第３ネック部４２７は、前記下部カバー４２０から上方に延びて形成され、前記支持台２２０と結合することができる。前記下部カバー４２０の底面で前記第３ネック部４２７の鉛直下方と重なる部分は、上側に陥没することがある。
【０１０２】
前記下部カバー４２０は、前記内部ベース４３０を支持する支持リブ４２８をさらに含むことができる。前記支持リブ４２８は、前記第３ネック部４２７と、所定の間隔で離隔し、前記第３ネック部４２７を囲む形状に形成され得る。また、前記支持リブ４２８の上端部は、前記第３ネック部４２７の上端部より低く形成され得る。
【０１０３】
前記下部カバー４２０には、前記上部カバー４１０と結合するための締結孔４２９が形成され得る。前記締結孔４２９は、前記下部カバー４２０の側面部に形成され得る。前記上部カバー４１０には、前記締結孔４２９に挿入される締結突起４１９が備えられ得る。
【０１０４】
前記下部カバー４２０は、前記内部ベース４３０と結合するための複数の下部結合部材４２４、４２６をさらに含むことができる。前記複数の下部結合部材４２４、４２６は、前記内部ベース４３０に備えられた第１結合孔４３４および第２結合孔４３６にそれぞれ挿入され得る。示されたように、前記第１結合孔４３４と前記第２結合孔４３６は、一列に配置され得るが、このような事項に限定されない。
【０１０５】
前記上部カバー４１０は、前記内部ベース４３０と結合するための複数の上部結合部材４１４、４１６をさらに含むことができる。前記複数の上部結合部材４２４、４２６は、前記内部ベース４３０に備えられた第１結合孔４３４及び第２結合孔４３６にそれぞれ挿入され得る。
【０１０６】
以下では、前記上部カバー４１０と前記下部カバー４２０および前記内部ベース４３０との間の結合関係について詳細に説明する。
【０１０７】
図１５は、内部ベースの分解断面図であり、図１６は、内部ベースの断面図である。
【０１０８】
図１５および図１６を参照すると、前記支持台２２０には、前記内部ベース４３０と結合するための締結ユニット２２９が備えられ得る。前記締結ユニット２２９は、前記支持台２２０の下部に形成された開口を介して前記支持台２２０の内部に挿入され得る。前記締結ユニット２２９は、前記第２ネック部４３２に備えられた結合部４３３（図１３参照）に挿入される突起を含むことができる。前記締結ユニット２２９の突起には、前記支持台２２０の内側に備えられた弾性部材が連結されて弾性支持され得る。これに伴い、前記突起は、支持台２２０の内側に選択的に出し入れされ得る。一方、前記締結ユニット２２９は、前記支持台２２０でない前記第３ネック部４２７に結合されることもある。
【０１０９】
前記支持台２２０の下端部には、前記第３ネック部４２７が挿入される開口が形成され得る。前記第３ネック部４２７が前記支持台２２０の開口に挿入されると、前記第３ネック部４２７の外周面が前記支持台２２０の開口の内周面と接触することができる。これに伴い、前記下部カバー４２０は、支持台２２０と結合し、前記支持台２２０を支持することができる。
【０１１０】
前記支持リブ４２８は、前記内部ベース４３０の底面と接触することによって、前記内部ベース４３０を支持することができる。また、前記支持リブ４２８は、前記第２ネック部４３２の鉛直下方に備えられ得る。これに伴い、前記支持リブ４２８が前記第２ネック部４３２を介して伝達される荷重を支えることができる。
【０１１１】
前記複数の上部結合部材４１４、４１６は、第１上部結合部材４１４と第２上部結合部材４１６とを含む。前記複数の下部結合部材４２４、４２６は、第１下部結合部材４２４と第２下部結合部材４２６とを含む。
【０１１２】
前記第１上部結合部材４１４と前記第１下部結合部材４２４は、すべて前記第１結合孔４３４に挿入される。そして、前記第２上部結合部材４１６と前記第２下部結合部材４２６は、前記第２結合孔４３６に挿入される。これに伴い、前記上部カバー４１０と前記下部カバー４２０および前記内部ベース４３０が堅固に結合され得る。
【０１１３】
前記第１下部結合部材４２４の外周面は、前記第１結合孔４３４の内周面に密着することができる。これに伴い、前記第１下部結合部材４２４は、前記第１結合孔４３４に固定され得る。
【０１１４】
前記第１下部結合部材４２４には、前記第１上部結合部材４１４が挿入される第１挿入溝４２４ａが形成され得る。前記第１上部結合部材４１４の外周面は、前記第１挿入溝４２４ａの内周面と少なくとも一部分で接触または密着することができる。前記第１上部結合部材４１４は、前記第１挿入溝４２４ａに挿入されることによって、前記第１下部結合部材４２４と結合することができる。
【０１１５】
前記第２下部結合部材４２６の外周面は、前記第２結合孔４３６の内周面に密着することができる。これに伴い、前記第２下部結合部材４２６は、前記第２結合孔４３６に固定され得る。
【０１１６】
前記第２下部結合部材４２６には、前記第２上部結合部材４１６が挿入される第２挿入
溝４２６ａが形成され得る。前記第２上部結合部材４１６の外周面は、前記第２挿入孔４２６ａの内周面と少なくとも一部分で接触または密着することができる。前記第２上部結合部材４１６は、前記第２挿入溝４２６ａに挿入されることによって、前記第２下部結合部材４２６と結合することができる。このような機構的締結方法に応じて前記内部ベース４３０のねじれを防止することができる。
【０１１７】
このように、前記支持台２２０の外周面は、前記第１ネック部４１２および前記第２ネック部４３２によって支持され、前記支持台２２０の内周面は、前記第３ネック部４２７によって支持される複数の支持構造によって、前記支持台２２０の安定性が向上し、前記支持台２２０と前記ベース４００の連結部が損傷することを防止することができる。これに伴い、掃除機据置台２０は、前記掃除機３００をより安定的に据え置くことができる。
【図１】
2020151508.tif 000003
【図２】
2020151508.tif 000004
【図３】
2020151508.tif 000005
【図４】
2020151508.tif 000006
【図５】
2020151508.tif 000007
【図６】
2020151508.tif 000008
【図７】
2020151508.tif 000009
【図８】
2020151508.tif 000010
【図９】
2020151508.tif 000011
【図１０】
2020151508.tif 000012
【図１１】
2020151508.tif 000013
【図１２】
2020151508.tif 000014
【図１３】
2020151508.tif 000015
【図１４】
2020151508.tif 000016
【図１５】
2020151508.tif 000017
【図１６】
2020151508.tif 000018